(57)【要約】      （修正有）【課題】ケースに装飾体を自在に取り付けて装飾を施すことができ、また装飾体の交換が容易で低コストで多様な装飾を楽しめ、さらにケースの背面部を局所的に損傷させることから防止する携帯型情報端末用ケースを提供する。【解決手段】背板部２と、周側部３とを備え、背板部には背板部を貫通して形成された背板小孔７が複数配列して設けられ、周側部には周側小孔が形成されてなると共に、背板部及び周側部の内表面にはそれぞれ背板凹窪部２４及び周側凹窪部が形成されてなる携帯型情報端末用ケース１であって、背板小孔及び周側小孔には挿込棒体を備えた装飾体を着脱自在に取り付けることができる。【選択図】図１
0003182833.tif 000002
【実用新案登録請求の範囲】
【請求項１】
携帯型情報端末の背面側に装着する携帯型情報端末用ケースであって、
該携帯型情報端末用ケースは、柔軟な樹脂素材からなると共に、
携帯型情報端末の背面に当接する背板部と、
前記背板部の周縁から背板部に対して携帯型情報端末を囲む方向に略垂直に形成された周側部と、
前記周側部の前端部から内向きに屈曲して形成された係止部と、
前記周側部によって囲まれてなる携帯型情報端末装着用の開口部とを備え、
前記背板部に、背板部を貫通して形成された装飾体取付用の背板小孔が複数配列して設けられ、
前記背板部の内表面には、背板小孔と同心で背板小孔よりやや大きい背板凹窪部が各背板小孔に対応して設けられてなること
を特徴とする携帯型情報端末用ケース。
【請求項２】
前記周側部に、前記背板部の小孔が円形である場合には同一形状に形成され、円形でない場合には同一の内接円を有する形状に形成された装飾体取付用の周側小孔が形成され、
前記周側部の内表面には、周側小孔と同心で周側小孔よりやや大きい周側凹窪部が設けられてなること
を特徴とする請求項１に記載の携帯型情報端末用ケース。
【請求項３】
前記背板小孔は、背板小孔の径方向内方に向かって突出した突出部を有する形状に形成されてなること
を特徴とする請求項１若しくは２に記載の携帯型情報端末用ケース。
【請求項４】
前記周側小孔は、周側小孔の径方向内方に向かって突出した突出部を有する形状に形成されてなること
を特徴とする請求項２若しくは３に記載の携帯型情報端末用ケース。
【考案の詳細な説明】
【技術分野】
【０００１】
本考案は、携帯型情報端末の保護又は装飾に使用されるケースに関する。
【背景技術】
【０００２】
従来、装飾形状若しくは装飾模様が一体的に付加されたプラスチック製品や皮製品からなるケースを装着することにより、携帯型情報端末を装飾する商品が一般に用いられている。
【先行技術文献】
【特許文献】
【０００３】
【特許文献１】特開２０１２−１７００３８
【考案の概要】
【考案が解決しようとする課題】
【０００４】
しかし、従来技術においては、使用者は一端購入したケースの装飾に飽きたとしてもケースそのものを買い換えることが必要であり少なからず出費が必要であった。また買い換え後のケースの装飾についてもまた飽きればさらに買い替えを余儀なくされ、古いケースは使い古されたものでもあることから再び使用されることは少なく、保管に困ると捨てざるを得なくなるという問題があった。
【課題を解決するための手段】
【０００５】
そこで、上記課題を解決するための手段として本願実用新案に係る携帯型情報端末用ケースは、携帯型情報端末の背面側に装着する携帯型情報端末用ケースであって、該携帯型情報端末用ケースは、柔軟な樹脂素材からなると共に、携帯型情報端末の背面に当接する背板部と、前記背板部の周縁から背板部に対して携帯型情報端末を囲む方向に略垂直に形成された周側部と、前記周側部の前端部から内向きに屈曲して形成された係止部と、前記周側部によって囲まれてなる携帯型情報端末装着用の開口部とを備え、前記背板部に、背板部を貫通して形成された装飾体取付用の背板小孔が複数配列して設けられ、前記背板部の内表面には、背板小孔と同心で背板小孔よりやや大きい背板凹窪部が各背板小孔に対応して設けられてなることを特徴とすることを特徴とする。
【０００６】
また、前記周側部に、前記背板部の小孔が円形である場合には同一形状に形成され、円形でない場合には同一の内接円を有する形状に形成された装飾体取付用の周側小孔が形成され、前記周側部の内表面には、周側小孔と同心で周側小孔よりやや大きい周側凹窪部が設けられてなることとしても好ましい。
【０００７】
携帯型情報端末用ケースは柔軟な樹脂素材によって形成されており、シリコン若しくはポリウレタン等の合成樹脂によって形成されることが好ましい。このような柔軟な樹脂素材によって形成されることによって、開口部を押し広げて携帯型情報端末をケースに容易に装着させることができる。
【０００８】
携帯型情報端末用ケースを装着した携帯型情報端末は、前記背板及び周側部が携帯型情報端末の背面及び周側面に当接することによって、携帯型情報端末用ケースの内部においてずれ動くことがない。また、周側部の前端部から内向きに屈曲して形成されることによって装着された携帯型情報端末の正面（メインディスプレイを備えた面）の外周縁部を保持可能な係止部として形成されている。このため、携帯型情報端末用ケースに装着された携帯型情報端末は前記係止部に保持されることによって開口部から抜け落ちることがない。
【０００９】
携帯型情報端末用ケースは、装着する携帯型情報端末に合わせて種々の大きさに成形することが可能である。装着可能な携帯型情報端末としては、携帯電話機、若しくはフラットパネルを装備したタブレット型情報端末機等が挙げられる。
【００１０】
前記背板小孔及び周側小孔（以下、両者を合わせて小孔と表す場合がある。）には、挿込棒体部を備えた装飾体が着脱可能に取付け可能であり、装飾体の着脱は挿込棒体を小孔に抜き挿しすることで行なうことができる。装飾体の取り付けの際にも、携帯型情報端末用ケースが柔軟な樹脂素材によって形成されているため、小孔を押し広げながら挿込棒体を挿し込むことにとって容易に取り付けが可能となる。また、同一構造の装飾体を取り付け可能とするために背板小孔及び周側小孔は円形である場合には同一形状に形成され、円形でない場合には同一の内接円を有する形状に形成されていることが好ましい。なお、前記内接円は、背板小孔において形成される内接円のうち最大のものであることが好ましい。挿込棒体を挿し込むための面積を最大限に大きく設定することができ、装飾体の取付けやすさ及び取り付け後の安定性を確保することができるからである。
【００１１】
なお前記装飾体は、前記挿込棒体の先端に背板小孔及び周側小孔の内径よりも若干大きく拡径して形成された係止端が形成されているものが用いられる。前記係止端が形成されていることによって、一旦取り付けられた装飾体は、挿込棒体を介して装飾部と係止端とが背板部や周側部を内外両面から挟持し、抜け落ちないように固定することができる。
【００１２】
また、本願考案に係る携帯型情報端末用ケースの背板部の内表面には背板小孔と同心で背板小孔よりやや大きい背板凹窪部が設けられ、さらに周側部に周側小孔が形成されている場合には周側部の内表面に周側小孔と同心で周側小孔よりやや大きい周側凹窪部が設けられている。ここで、背板小孔と同心であるとは、背板小孔が円形である場合は背板小孔の中心と同心であることをいい、背板小孔が円形でない場合は背板小孔の内接円の中心と同心であることをいう。また、周側小孔と同心であることについても背板小孔の場合と同様である。背板凹窪部若しくは周側凹窪部には、取り付けられた装飾体の前記係止端を嵌め込むことが可能である。従って携帯型情報端末用ケースに装飾体を取り付けた状態において、係止端が背板部若しくは周側部の内表面から携帯型情報端末に向かって突出することを防止することができる。これにより、装飾体を取り付けた状態の携帯型情報端末用ケースを、係止端が携帯型情報端末用ケースの内表面から突出させることなく携帯型情報端末に装着させることができ、携帯型情報端末の背側面や周側面が係止端による局所摩擦を受けて損傷することを防止することができる。
【００１３】
また、背板小孔は背板部に複数配列して設けられていることから、使用者はその日の気分によって装飾体を取り付ける位置を変えたり、また、異なる装飾体に取り変えたりすることができる。さらに、複数の装飾体を背板部に配置することにより複数の装飾体が構成する装飾模様を形成させることもできる。このように背板小孔を備えた本願考案に係る携帯型情報端末用ケースを用いれば、携帯型情報端末にバリエーションに富んだ装飾機能を容易に付加させることができ、使用者は装飾体を付け替えるだけで携帯型情報端末用ケース自体は取り替えることなく好きな装飾や装飾模様を楽しむことができる。
【００１４】
さらにまた、前記背板小孔は、背板小孔の径方向内方に向かって突出した突出部を有する形状に形成されてなることが好ましい。また、前記周側小孔にも、周側小孔の径方向内方に向かって突出した突出部を有する形状に形成されてなることが好ましい。すなわち、前記突出部の幅は小孔の内周長さよりも短く形成されるため、挿込棒体の先端を押し付けることによって自在に折り曲げることができる。これにより、背板小孔及び周側小孔の形状が円形である場合に小孔の内径を押し広げながら挿込棒体を挿し入れるよりも、前記突出部を有する小孔に挿込棒体を挿し入れる方が小孔の内径を広げるために必要な力が少なくなるように構成することが可能である。従って、突出部を有する小孔は、円形の小孔よりも装飾体をより取り付け易い構造を構成できるという利点がある。また、挿込棒体を挿し入れた後においては、突出部が前記係止端と当接することによって挿込棒体の脱落防止機能を兼ね備えることができる。このような突出部を備えた背板小孔若しくは周側小孔の形状としては、ハート型、星型、スペード型、若しくはクローバー型等であることが好ましい。
【００１５】
また、使用者は複数の背板小孔に複数の装飾体をそれぞれ取り付けることも可能であるため、携帯型情報端末の背面を装飾体の配列によって表現される模様で装飾することも可能である。
【００１６】
さらにまた、本願考案に係る携帯型情報端末用ケースは、上記背板小孔に加えて、前記周側部にも前記背板小孔が円形である場合には同一形状に形成され、円形でない場合には同一の内接円を有する形状に形成された周側小孔が形成されてなることを特徴とする。
【００１７】
周側小孔は、背板小孔が円形である場合には同一形状に形成され、円形でない場合には同一の内接円を有する形状に形成されているため、使用者は背板小孔に取り付けていた装飾体を周側小孔にも取り付けることができる。また、例えば周側小孔に携帯型情報端末の周側面に対して垂直方向に大きく突出した構造を有する装飾体を取り付ければ、遠くから見てもよくわかる個性的な装飾を備えた携帯型情報端末とすることができる。
【００１８】
背板小孔と共に周側小孔にも合わせて装飾体を取り付けることによって装飾のバリエーションの多様化を図ることができ、使用者は他人とは全く異なる独自の装飾を施した携帯型情報端末用カバーとすることができる。
【考案の効果】
【００１９】
本願考案に係る携帯型情報端末用ケースによれば、背板小孔に装飾体を自在に取り付けて装飾を施すことによって使用者の好みの装飾を容易に実現することができる。
【００２０】
また、一旦装飾体によって構成した装飾に飽きた場合であってもケース自体を買い換える必要はなく、装飾体だけを取り替えるか、若しくは装飾体の取り付け位置を別の小孔に変えることによって、低コストで多様な装飾を楽しむことができる。
【００２１】
また、携帯型情報端末用ケースに背板小孔及び周側小孔を設ければ、背板小孔及び周側小孔に装飾体を取り付けることによって、携帯型情報端末用ケースの背面及び周側面とを合わせて装飾を施すことができるため、背面のみを用いる場合に比べて装飾のバリエーションの多様化を図ることができる。
【００２２】
さらに、携帯型情報端末用ケースの背板部の内表面に設けた背板凹窪部及び周側凹窪部によって、装飾体を取り付けた状態の携帯型情報端末用ケースを携帯型情報端末に装着した際にも、前記係止端が携帯型情報端末の背面部を局所的に損傷させることを防止することができる。
【００２３】
さらにまた、前記背板小孔及び前記周側小孔において、小孔の径方向内方に向かって突出した突出部を形成することにより、小孔の形状が円形の場合と比べて装飾体の取り付けを容易とすることができる。
【図面の簡単な説明】
【００２４】
【図１】携帯型情報端末用カバー１の正面図である。
【図２】携帯型情報端末用カバー１の背面図である。
【図３】携帯型情報端末用カバー１の左側面図である。
【図４】携帯型情報端末用カバー１の右側面図である。
【図５】携帯型情報端末用カバー１の平面図である。
【図６】携帯型情報端末用カバー１の底面図である。
【図７】携帯型情報端末用カバー１のＡ−Ａ断面図である。
【図８】携帯型情報端末用カバー１のＢ−Ｂ断面図である。
【図９】携帯型情報端末用カバー１のＣ−Ｃ断面図である。
【図１０】携帯型情報端末用カバー１のＤ−Ｄ断面図である。
【図１１】携帯型情報端末用カバー１のＥ−Ｅ断面図である。
【図１２】携帯型情報端末Ｐに装着した携帯型情報端末用カバー１の正面図である。
【図１３】携帯型情報端末Ｐに装着した携帯型情報端末用カバー１のＦ−Ｆ断面図である。
【図１４】装飾体２０を取り付けた状態の携帯型情報端末用カバー１の背面図である。
【図１５】装飾体２０を取り付けた状態の携帯型情報端末用カバー１の左側面図である。
【図１６】装飾体２０を取り付けた状態の携帯型情報端末用カバー１のＧ−Ｇ拡大断面図である。
【図１７】装飾体２０を取り付けた状態の携帯型情報端末用カバー１のＨ−Ｈ拡大断面図である。
【図１８】装飾体２０を取り付けた状態の携帯型情報端末用カバー１を周側部の幅中央に沿って縦に切断し、正面から見たＩ−Ｉ断面図である。
【図１９】装飾体２０を取り付け、携帯型情報端末Ｐに装着した携帯型情報端末用カバー１の背面図である。
【図２０】装飾体２０を取り付け、携帯型情報端末Ｐに装着した携帯型情報端末用カバー１のＪ−Ｊ拡大断面図である。
【図２１】装飾体２０を取り付け、携帯型情報端末Ｐに装着した携帯型情報端末用カバー１のＫ−Ｋ拡大断面図である。
【図２２】携帯型情報端末用カバー１０１の正面図である。
【図２３】携帯型情報端末用カバー１０１の背面図である。
【図２４】携帯型情報端末用カバー１０１の平面図である。
【図２５】携帯型情報端末用カバー１０１の底面図である。
【考案を実施するための形態】
【００２５】
以下、本願考案に係る実施の形態を、図を参照しながら詳しく説明する。
【００２６】
図１〜図６は、第一の実施形態として、本願考案に係る携帯型情報端末用カバー１の六面図を示している。携帯型情報端末用カバー１は背板部２及び当該背板部２を囲うように設けられた周側部３を備える。周側部３は、図７のＡ−Ａ断面図に示すように背板部２に対して略直角方向に形成されてなる。図１２及び図１３は、携帯型情報端末用カバー１を携帯型情報端末Ｐに装着した状態を示している。携帯型情報端末用カバー１は、携帯型情報端末Ｐの背側面Ｂｐ及び周側面Ｓｐを覆い、外部からの衝撃や汚れの付着から保護することができる。
【００２７】
図７〜図１１に示すように、本実施の形態において、背板部２の背面４および周側部３の上面５には携帯型情報端末用カバー１を貫通してなる複数の小孔６が配列して形成されている。本実施形態において、背面４に形成された小孔６は格子状に二次元的に配列され、これを背板小孔７と呼び、一方、上面５に形成された小孔６は一列に配列され、これを周側小孔８と呼ぶこととする。背板小孔７及び周側小孔８はいずれも、同一のハート形状の貫通穴として形成されており、当該ハート形状のうち小孔の径方向内方に向かって突出した部分を形成してなる部分を突出部９とする。
【００２８】
携帯型情報端末用カバー１の正面には図１に示すように携帯型情報端末Ｐ全体を嵌め込むために装着用の開口部１０が形成されている。開口部１０は、図７のＡ−Ａ断面図に示すように周側部３の前端部から内向きに屈曲して係止部１１が形成されてなることにより、携帯型情報端末Ｐの外周形状よりも僅かに小さく形成されており、携帯型情報端末Ｐの装着時においては、前記係止部が携帯型情報端末Ｐの外周縁部を保持することで携帯型情報端末Ｐが前記開口部１０から抜け落ちることがない。また、係止部１１は携帯型情報端末Ｐの装着時には携帯型情報端末Ｐのディスプレイ面よりも僅かに冒出して装着されるため、誤って携帯型情報端末Ｐを落下させた時においてもディスプレイ面が損傷することを防止することができる。
【００２９】
図２に示されている背板部２の背面方向から見て左上部に設けられた小孔６よりも大きいハート型に形成された穴は、携帯型情報端末Ｐに付属するカメラレンズを露出させるために設けられたカメラ穴１２である。
【００３０】
一方、携帯型情報端末用カバー１を付けたままでも携帯型情報端末Ｐの操作を可能とするために、周側部２の上面５には携帯型情報端末Ｐの電源スイッチを押下できる電源スイッチ操作用押下げ板１３が設けられている（図５）。
【００３１】
また底面１４には、図６に示すように左右に細長く形成された細穴１５が形成され、当該細穴１５の中央部を介して携帯型情報端末Ｐの充電用端子に充電用コードを接続することが可能である。また、本実施例において、細穴１５の左右端部は携帯型情報端末Ｐに備え付けられたスピーカー若しくはイヤホンジャックに対応して開口している。
【００３２】
さらにまた、左側面１６の上部には図３に示すようにスイッチ操作穴１８が設けられ、前記スイッチ操作穴１８の下方には音量操作部１９が形成されている。
【００３３】
図１４、図１５には、背板小孔７及び周側小孔８に装飾体２０を取り付けた状態の携帯型情報端末用カバー１の背面図及び左側面図を示している。以下、本実施形態において、特に背板小孔７に取り付けられた装飾体２０を装飾体２０ａと、周側小孔８に取り付けられた装飾体２０を装飾体２０ｂと呼ぶ場合がある。
【００３４】
使用者は、自らの感性に基づいて自由に装飾体２０を背板小孔７及び周側小孔８に自由に取り付けて携帯型情報端末用カバー１を装飾することができる。なお、周側小孔８は、上面５に限らず、底面１４、左側面１６、若しくは右側面１７のいずれに設けてもよい。
【００３５】
ここで、背板小孔７は格子状に配列されていることから、装飾体２０ａを二次元的に複数配置させることで、背面全体において模様を形成することができる。
【００３６】
周側小孔８に取り付けられた装飾体２０ｂは、立体的なものであっても装飾体２０ｂの大部分は上面５から上方に突出のみであって携帯型情報端末Ｐの持ち易さを阻害することがない。また、このような立体的な装飾体２０ｂの取り付けが可能であることによって携帯型情報端末用カバー１の形状にとらわれない独自の装飾形態を実現することができる。
【００３７】
従って使用者は、周側小孔８に取り付ける装飾体２０ｂは背板小孔７に取り付ける装飾体２０ａとは異なる装飾方法を採用することができる。その結果、背板小孔７及び周側小孔８を合わせ用いることで装飾体２０が携帯型情報端末用カバー１を装飾する装飾方法のバリエーションを、携帯型情報端末用カバーの背面若しくは周側面のいずれかのみを用いて装飾されている場合に比べて多様化を図ることができる。
【００３８】
さらに、装飾体２０は小孔６に対して着脱自在に取り付けられているため、一旦作成した装飾に飽きた場合であっても、使用者は容易に新たな装飾体２０を取り付けることによって、携帯型情報端末用カバー１そのものを取り替えることなく新しい装飾を繰り返し実現することができる。
【００３９】
装飾体２０は、取り付け時に背板部２や周側部３の外表面上に露出して外部から視認できる装飾部２１と、装飾体２０を固定するために小孔６に挿入可能な径に形成されている挿込棒体２２とからなり、挿込棒体２２の下端は小孔６の内径よりも若干大きく拡径された係止端２３が形成されている。
【００４０】
小孔６が設けられた背板部２の内表面には背板凹窪部２４が、周側部３の内表面には周側凹窪部２５が設けられている。背板凹窪部２４若しくは周側凹窪部２５には、取り付けられた装飾体２０の前記係止端２３を嵌め込むことが可能である。
【００４１】
装飾体２０を小孔６に取り付ける際には、前記係止端２３を突出部９に押し当てながら当該突出部９を折り曲げて小孔６の開口面積を広げつつ、小孔６の内縁部も押し広げて、係止端２３が携帯型情報端末用カバー１の内面側に突き抜けるまで押し込む。これにより、図１６〜図１８に示すように、挿込棒体２２を介して装飾部２５と係止端２３とが背板部２や周側部３を内外両面から挟持し、装飾体２０が抜け落ちないように固定することができる。
【００４２】
図１９には、装飾体２０を取り付け、携帯型情報端末Ｐに装着した携帯型情報端末用カバー１の背面図を示している。この図に示すように、携帯型情報端末用カバー１を携帯型情報端末Ｐに装着すると、カメラ穴１２からカメラレンズＣｐが露出し、携帯型情報端末用カバー１を装着したままの状態で写真撮影を行なうことができる。
【００４３】
さらに、装飾体２０の係止端２３を背板凹窪部２４若しくは周側凹窪部２５に嵌め込むことによって、携帯型情報端末用ケース１に装飾体２０を取り付けた状態であっても、図２０、図２１に示すように係止端２３が背板部２若しくは周側部３の内表面から携帯型情報端末Ｐに向かって突出することを防止することができる。これにより、装飾体２０を取り付けた状態の携帯型情報端末用ケース１を、係止端２３が携帯型情報端末用ケース１の内表面から突出させることなく携帯型情報端末Ｐに装着させることができ、携帯型情報端末Ｐの背側面Ｂｐや周側面Ｓｐが係止端２３による局所摩擦を受けて損傷することを防止することができる。
【００４４】
また、図２２〜図２５には第二の実施形態に係る携帯型情報端末用ケース１０１の正面図、背面図、平面図、及び底面図を示している。左側面１１６及び右側面１１７の構造については第一の実施形態に係る携帯型情報端末用ケース１と同一構造である。携帯型情報端末用ケース１０１には、背面１０４に背板小孔１０７が背板部１０２を貫通して形成され、上面１０５には周側小孔１０８が周側部１０３を貫通して形成され、それぞれの小孔の形状は円形に形成されてなる。
【００４５】
また、背板部１０２及び周側部１０３の内表面には、各背板小孔１０７若しくは周側小孔１０８と同心円状に形成された背板凹窪部１２４と周側凹窪部１２５が形成されてなる。
【００４６】
なお、第一の実施形態と同様に、背面１０４にはカメラ穴１１２が設けられ、底面１１４には細穴１１５が設けられてなる。
【００４７】
前記背板小孔１０７及び周側小孔１０８には、前記装飾体２０を第一の実施形態に係る携帯型情報端末用ケース１と同様に取り付けることができる。
【００４８】
装飾体２０を背板小孔１０７若しくは周側小孔１０８に取り付ける際には、前記係止端２３を小孔に押し当てながら小孔の開口面積を広げつつ、係止端２３が携帯型情報端末用カバー１の内面側に突き抜けるまで押し込むことによって行う。
【００４９】
また背板凹窪部１２４若しくは周側凹窪部１２５には、取り付けられた装飾体２０の前記係止端２３を嵌め込むことが可能であり、第一の実施形態の場合と同様に係止端２３を携帯型情報端末用ケース１０１の内表面から突出させることなく携帯型情報端末Ｐに装着させることができる。そのため、携帯型情報端末Ｐの背側面Ｂｐや周側面Ｓｐが係止端２３による局所摩擦を受けて損傷することを防止することができる。
【００５０】
このようにして使用者は、自らの感性に基づいて自由に装飾体２０を背板小孔１０７及び周側小孔１０８に自由に取り付けて携帯型情報端末用カバー１０１を装飾することができる。
【符号の説明】
【００５１】
１    携帯型情報端末用カバー
２    背板部
３    周側部
４    背面
５    上面
７    背板小孔
８    周側小孔
２０  装飾体
２１  装飾部
２２  挿込棒体
２３  係止端
２４  背板凹窪部
２５  周側凹窪部
【図１】
0003182833.tif 000003
【図２】
0003182833.tif 000004
【図３】
0003182833.tif 000005
【図４】
0003182833.tif 000006
【図５】
0003182833.tif 000007
【図６】
0003182833.tif 000008
【図７】
0003182833.tif 000009
【図８】
0003182833.tif 000010
【図９】
0003182833.tif 000011
【図１０】
0003182833.tif 000012
【図１１】
0003182833.tif 000013
【図１２】
0003182833.tif 000014
【図１３】
0003182833.tif 000015
【図１４】
0003182833.tif 000016
【図１５】
0003182833.tif 000017
【図１６】
0003182833.tif 000018
【図１７】
0003182833.tif 000019
【図１８】
0003182833.tif 000020
【図１９】
0003182833.tif 000021
【図２０】
0003182833.tif 000022
【図２１】
0003182833.tif 000023
【図２２】
0003182833.tif 000024
【図２３】
0003182833.tif 000025
【図２４】
0003182833.tif 000026
【図２５】
0003182833.tif 000027